(57)【要約】【課題】重量を正確に測定できる計量ホッパーを提供する。【解決手段】上端部および下端部にそれぞれ上部開口部１２および下部開口部１３を有し、側壁から外側へ向けてロードセル取り付け具６が設けられた容器１１と、ロードセル取り付け具６に着脱可能なロードセル８と、容器１１の下部開口部１３を開閉する底板２と、下部開口部１３を閉じる方向に底板２を付勢する付勢手段と、容器１１から離して配置され、物体の排出時に付勢手段を解除して下部開口部１３を開放する開放手段とを備える。【選択図】図１
2009236527.tif 000002
【特許請求の範囲】
【請求項１】
供給された物体の重量を計測する計量ホッパーにおいて、
上端部および下端部にそれぞれ上部開口部および下部開口部を有し、側壁から外側へ向けてロードセル取り付け具が設けられた容器と、
前記ロードセル取り付け具に着脱可能なロードセルと、
前記容器の下部開口部を開閉する底板と、
前記下部開口部を閉じる方向に前記底板を付勢する付勢手段と、
前記容器から離して配置され、前記物体の排出時に前記付勢手段を解除して前記下部開口部を開放する開放手段と、
を備えたことを特徴とする計量ホッパー。
【請求項２】
前記容器を移動させて前記ロードセルと前記ロードセル取り付け具とを離間させる移動手段を、移動時以外は前記容器から離れた位置に備えたことを特徴とする請求項１に記載の計量ホッパー。
【請求項３】
前記移動手段は、前記容器を上方へ持ち上げる上昇用シリンダであり、前記ロードセルは前記ロードセル取り付け具の下方に設置されていることを特徴とする請求項２に記載の計量ホッパー。
【請求項４】
前記付勢手段は、ブラケット部材を介して前記底板に連結されたガススプリングであり、前記ガススプリングの伸張により、前記ブラケット部材を介して前記下部開口部を閉じる方向に前記底板を付勢することを特徴とする請求項１〜３のいずれかに記載の計量ホッパー。
【請求項５】
前記開放手段は開放用シリンダであり、前記開放用シリンダの伸張により、前記ブラケット部材を介して前記ガススプリングが収縮して前記底板への付勢が解除され、前記下部開口部が開放することを特徴とする請求項４に記載の計量ホッパー。
【請求項６】
前記底板に樹脂のコーティングが施されていることを特徴とする請求項１〜５のいずれかに記載の計量ホッパー。
【発明の詳細な説明】
【技術分野】
【０００１】
本発明は、供給された粉粒体等の内容物の重量を正確に計るための計量ホッパーに関する。
【背景技術】
【０００２】
従来、ホッパー内に供給された粉体等の物体の重量を計るために、ホッパーにロードセル等の荷重測定器が設置されている（例えば特許文献１参照）。ホッパーに粉体等の物体が投入されると、投入された物体の重量が、ロードセル等の荷重測定器によって測定される。このようなホッパーにおいては、予め設定された重量で供給を停止するように投入側のフィーダを制御すれば、物体の定量供給が可能となる。
【０００３】
ホッパーに供給された物体は、ホッパーの底面が開放された際に排出される。底面の開閉は、ホッパーに付帯したシリンダなどの伸縮機構又は電動機などの回転機構により行われている（例えば特許文献２参照）。
【０００４】
【特許文献１】特開２００４−３０９２４４号公報
【特許文献２】登録実用新案第３１１６４３６号
【発明の開示】
【発明が解決しようとする課題】
【０００５】
従来の計量ホッパー装置においては、ホッパーの底面を開閉するためのシリンダもしくは電動機が、ホッパーに直接取り付けられている。ところが、シリンダもしくは電動機を駆動させるためには、チューブもしくは電線を結線しなければならない。その場合、チューブもしくはケーブルを介して計量ホッパーに外力がかかり、重量表示が正確でなくなるという問題点があった。
【０００６】
本発明は、重量を正確に測定できる計量ホッパーを提供することを目的としている。
【課題を解決するための手段】
【０００７】
本発明は前記目的を達成するために、供給された物体の重量を計測する計量ホッパーにおいて、上端部および下端部にそれぞれ上部開口部および下部開口部を有し、側壁から外側へ向けてロードセル取り付け具が設けられた容器と、前記ロードセル取り付け具に着脱可能なロードセルと、前記容器の下部開口部を開閉する底板と、前記下部開口部を閉じる方向に前記底板を付勢する付勢手段と、
前記容器から離して配置され、前記物体の排出時に前記付勢手段を解除して前記下部開口部を開放する開放手段と、を備えたことを特徴とする。本発明により、計量時、即ち底板が閉じられているときには、開放手段が離れて配置されているので、外力を受けない状態になっている。したがって、計量時に外力の影響を受けることなく、正確に物体の重量を計測することができる。
【０００８】
また、前記容器を移動させて前記ロードセルと前記ロードセル取り付け具とを離間させる移動手段を、移動時以外は前記容器から離れた位置に備えることが好ましい。これにより、計量しないとき、即ち、底板が下部開口部を開放して容器内の物体を排出するときに、容器とロードセルを離間させることにより、底板への付勢を解除する際に発生する水平方向の荷重のロードセルへの影響を防ぐことができる。また、移動手段は移動時以外には容器から離れているので、計量時に、移動手段を介して容器に外力が作用することがない。
【０００９】
前記移動手段は、前記容器を上方へ持ち上げる上昇用シリンダであり、前記ロードセルは前記ロードセル取り付け具の下方に設置されているものでもよい。
【００１０】
前記付勢手段は、ブラケット部材を介して前記底板に連結されたガススプリングであり、前記ガススプリングの伸張により、前記ブラケット部材を介して前記下部開口部を閉じる方向に前記底板を付勢するものでもよい。
【００１１】
前記開放手段は開放用シリンダであり、前記開放用シリンダの伸張により、前記ブラケット部材を介して前記ガススプリングが収縮して前記底板への付勢が解除され、前記下部開口部が開放するものでもよい。
【００１２】
さらに、前記底板に樹脂のコーティングが施されていることが好ましい。樹脂でコーティングすることにより、容器の底部と底板がより密着しやすくなるため、隙間から粉体等の内容物が漏れるのを防いで正確な計量を行うことができる。
【発明の効果】
【００１３】
本発明によれば、外力の影響を受けることなく、正確に容器内の物体の重量を計量できる。
【発明を実施するための最良の形態】
【００１４】
以下、本発明の実施の形態を、図を参照して説明する。図１〜図４は、本発明にかかる計量ホッパー１の構成を示す。
【００１５】
粉粒体等の物体を収容する容器１１は、四角柱の底部を水平面に対して斜めに切断した形状であり、上端には水平面状の上部開口部１２、下端には斜め方向の下部開口部１３を有している。
【００１６】
上部開口部１２の外周部には、フランジ１４が形成されている。また、上部開口部１２の近傍の、容器１１と離れた位置に、上昇用シリンダ９が設けられている。上昇用シリンダ９は、例えば対向する二個所に配置され、伸張時には容器１１に接触していない。上昇用シリンダ９が収縮すると、係止部９ａがフランジ１４の下面に係止され、図２に示すように、容器１１が上方へ持ち上げられる。下部開口部１３は、通常時には、下部開口部１３全体を覆う底板２で塞がれている。
【００１７】
容器１１の側壁に、容器１１の外側へ向けて、ロードセル取り付け具６が設けられている。ロードセル８は、容器１１の外側、且つロードセル取り付け具６の下側に配置され、ロードセル８の先端がロードセル取り付け具６に当接している。ロードセル取り付け具６とロードセル８とは着脱可能である。
【００１８】
また、図１に示すように、容器１１には、ブラケット４を介して、ガススプリング３の一方の端部が取り付けられている。ガススプリング３のもう一方の端部は、ブラケット部材５に連結されている。
【００１９】
ブラケット部材５は、図５に示すように、ガススプリング用ブラケット５ａ、シリンダ用ブラケット５ｂ、底板用ブラケット５ｃを有し、これらは、同一のシャフト１５を介して連動する。また、平面方向に見ると、例えば図４に示すように、シャフト１５の中央にシリンダ用ブラケット５ｂが１つ設けられ、ガススプリング用ブラケット５ａおよび底板用ブラケット５ｃは、対称位置に一対ずつ配置される。ガススプリング用ブラケット５ａは、一端がガススプリング３の先端に軸支されている。底板用ブラケット５ｃは、底板２に固定されている。
【００２０】
このように、ガススプリング３は、互いに連動するガススプリング用ブラケット５ａおよび底板用ブラケット５ｃを介して底板２に連結されている。ガススプリング３が伸張した状態で、底板２は、底板用ブラケット５ｃを介して容器１１の底部に向けて付勢され、下部開口部１３が閉じた状態になる。さらに、底板２には樹脂コーティングが施され、粉体等の滑りをよくすることができる。かかる樹脂としては、例えばポリアセタール（ＰＯＭ）、ポリアミド（ＰＡ）、ポリテトラフルオロエチレン（ＰＴＦＥ）などの樹脂が挙げられる。樹脂以外にもＴｉＮなどの摺動材料を被覆できる。
【００２１】
開放用シリンダ７は、シリンダ用ブラケット５ｂの先端付近の下方の、容器１１から離れた位置に配置されている。開放用シリンダ７が伸張した際に、シリンダ用ブラケット５ｂの先端が上方に持ち上がる。これにより、シリンダ用ブラケット５ｂと連動するガススプリング用ブラケット５ａを介してガススプリング３が収縮し、底板用ブラケット５ｃを介した底板２の付勢が解除されるため、底板２が容器１１の底面から離れ、下部開口部１３が開放される。開放用シリンダ７が伸張している間は、下部開口部１３の開放状態が保持される。
【００２２】
以上の構成を有する計量ホッパー１の計量時の動作を、図１から図３に基づいて説明する。
【００２３】
図１は計量時の状態を示し、底板２が下部開口部１３を塞ぎ、ロードセル８がロードセル取り付け具６に接触している。このときには、容器１１には、底板２の開閉機構等からの外力がかかっていないため、ロードセル８により計量される値は、計量ホッパー１の構成部材のうち、容器１１から離して設置された開放用シリンダ７、上昇用シリンダ９、およびロードセル８を除いたものと、投入された内容物の重量のみである。
【００２４】
計量が完了すると、図２に示すように、上昇用シリンダ９が収縮し、係止部９ａがフランジ１４の下面に係止される。ロードセル取り付け具６とロードセル８は連結されていないので、上昇用シリンダ９の収縮に伴って、容器１１、底板２、ガススプリング３、ブラケット部材５、ロードセル取り付け具６が持ち上げられ、ロードセル８がロードセル取り付け具６から離れた状態となる。
【００２５】
容器１１内の内容物を排出する際には、図３に示すように、開放用シリンダ７が伸張して、シリンダ用ブラケット５ｂが押し上げられる。これにより、ガススプリング用ブラケット５ａを介してガススプリング３が収縮し、底板用ブラケット５ｃを介した底板２の付勢が解除される。この際、容器１１には水平方向に荷重が発生するが、ロードセル８がロードセル取り付け具６から離れているため、ロードセル８にその水平荷重が作用することはない。
【００２６】
容器１１内の内容物の排出完了後、開放用シリンダ７が収縮すると、ガススプリング３が伸張し、再び、図２に示すように底板２が容器１１の底部に付勢された状態となる。
【００２７】
さらに、上昇用シリンダ９が伸張することにより、図１に示すように上昇用シリンダ９の係止部９ａが容器１１のフランジ１４から離れ、容器１１に外力がかからなくなった状態でロードセル８とロードセル取り付け具６が接触する。
【００２８】
以上、本発明の好適な実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。例えば、ブラケット部材５の形状や配置は、図示した例に限らない。
【産業上の利用可能性】
【００２９】
本発明は、粉粒体等の内容物の重量を計測して供給量を制御する計量供給装置に適用できる。
【図面の簡単な説明】
【００３０】
【図１】本発明にかかる計量ホッパーの計量時の側面図である。
【図２】図１の計量ホッパーの容器が持ち上がった状態の側面図である。
【図３】図１の計量ホッパーの内容物排出時の側面図である。
【図４】図１の計量ホッパーを上方から見た平面図である。
【図５】図１のブラケット５の拡大図である。
【符号の説明】
【００３１】
１    計量ホッパー
２    底板
３    ガススプリング
４    ブラケット
５    ブラケット部材
５ａ  ガススプリング用ブラケット
５ｂ  シリンダ用ブラケット
５ｃ  底板用ブラケット
６    ロードセル取り付け具
７    開放用シリンダ
８    ロードセル
９    上昇用シリンダ
１１  容器
１２  上部開口部
１３  下部開口部
１４  フランジ
１５  シャフト
【図１】
2009236527.tif 000003
【図２】
2009236527.tif 000004
【図３】
2009236527.tif 000005
【図４】
2009236527.tif 000006
【図５】
2009236527.tif 000007